【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
プロダクトコンテナであって、
購入を目的とした物理的に有体の商品を識別するために消費者によって選択可能な少なくとも１つのプロダクトセレクタと、
ネットワークインターフェースであって、該コンテナは、該ネットワークインターフェースを介して、コンテンツサーバと通信するように動作可能である、ネットワークインターフェースと、
該コンテンツサーバから該コンテナに送信されたコンテンツを表示するように動作可能な出力デバイスと、
無線アクセスポイントと、
該プロダクトコンテナの近傍における消費者の存在を検知するように動作可能な少なくとも１つのセンサと
を含み、
該プロダクトコンテナは、該消費者によって選択された商品を販売するように動作可能であり、かつ、該無線アクセスポイントを介して該ネットワークと無線通信する消費者に関連付けられた少なくとも１つのデバイスを提供するように動作可能であり、該プロダクトコンテナは、該デバイスと通信する該無線アクセスポイントを介して取得される該消費者に関連付けられた情報を利用して、カスタマイズされたマーケティングコンテンツを該消費者に提供するように動作可能であり、
該プロダクトコンテナは、該消費者の存在に少なくとも部分的に基づいて、さらに、該消費者のアイデンティティに少なくとも部分的に基づいて、カスタマイズされたマーケティングコンテンツを出力するようにさらに動作可能である、プロダクトコンテナ。
【請求項２】
前記ネットワークは、インターネットである、請求項１に記載のプロダクトコンテナ。
【請求項３】
前記商品は、消費者包装された品物を含む、請求項１に記載のプロダクトコンテナ。
【請求項４】
前記コンテナは、前記消費者からの情報を受信するように動作可能であり、該コンテナは、前記ネットワークインターフェースを介して該消費者から受信した情報を前記コンテンツサーバに送信するように更に動作可能である、請求項１に記載のプロダクトコンテナ。
【請求項５】
前記出力デバイスは、報奨表示を含むレシートを印刷するように動作可能である、請求項１に記載のプロダクトコンテナ。
【請求項６】
前記コンテナは、ファウンテンマシンとベンディングマシンとを含むコンテナのグループから選択される、請求項１に記載のプロダクトコンテナ。
【請求項７】
商品を販売促進するためのシステムであって、
コンテンツサーバと、
該コンテンツサーバと通信することが可能であり、かつ、有体の商品を販売するように動作可能な少なくとも１つのプロダクトコンテナと
を含み、
該少なくとも１つのプロダクトコンテナは、
ディスプレイと、
消費者からの少なくとも１つの入力を受信するように動作可能な入力デバイスと、
ネットワークインターフェースであって、該コンテナは、該ネットワークインターフェースを介して、コンテンツサーバと通信するように動作可能である、ネットワークインターフェースと、
無線アクセスポイントと、
該プロダクトコンテナの近傍における消費者の存在を検知するように動作可能な少なくとも１つのセンサと
を含み、
該コンテンツサーバは、該ディスプレイ上に提示するためのコンテンツを送信し、
該コンテナは、該無線アクセスポイントを介して該ネットワークと無線通信する消費者に関連付けられた少なくとも１つのデバイスを提供するように構成されており、該デバイスと通信する該無線アクセスポイントを介して取得される該消費者に関連付けられた情報を利用して、カスタマイズされたマーケティングコンテンツを該消費者に提供するように構成されており、
該消費者の存在に少なくとも部分的に基づいて、さらに、該消費者のアイデンティティに少なくとも部分的に基づいて、カスタマイズされたマーケティングコンテンツを出力するようにさらに構成されている、システム。
【請求項８】
前記コンテンツサーバによって送信された前記コンテンツは、少なくとも１つのアイテムを識別し、該少なくとも１つのアイテムは、前記入力デバイスを介して前記ユーザによって選択可能である、請求項７に記載のシステム。
【請求項９】
前記少なくとも１つのアイテムは、無料のアイテムを含み、該無料のアイテムは、前記少なくとも１つのプロダクトコンテナから商品を購入した後に前記消費者によって受け取り可能である、請求項８に記載のシステム。
【請求項１０】
前記無料のアイテムは、占い、歌曲、おみくじ、ｅ-メール、写真、はがき、ゲーム、
および、報奨ポイントを含む、アイテムのグループから選択される、請求項９に記載のシステム。
【請求項１１】
前記少なくとも１つのアイテムは、購入可能なアイテムを含み、該購入可能なアイテムは、前記少なくとも１つのプロダクトコンテナに金額を挿入した後に前記消費者によって受け取り可能である、請求項８に記載のシステム。
【請求項１２】
前記購入可能なアイテムは、チケット、音楽、写真、および、デジタルコンテンツを含む、アイテムのグループから選択される、請求項１１に記載のシステム。
【請求項１３】
前記少なくとも１つのプロダクトコンテナは、前記消費者が該少なくとも１つのプロダクトコンテナから買い物をした際に、該消費者にインスタント懸賞を与えるように動作可能である、請求項１１に記載のシステム。
【請求項１４】
前記消費者に与えられた前記インスタント懸賞は、前記コンテンツサーバから選択される、請求項１３に記載のシステム。
【請求項１５】
前記少なくとも１つのプロダクトコンテナは、報奨表示を含むレシートを発行するように動作可能なプリンタを更に含む、請求項１３に記載のシステム。
【請求項１６】
前記インスタント懸賞に引き換えるために前記報奨表示が入力され得るウェブページを更に含む、請求項１５に記載のシステム。
【請求項１７】
前記少なくとも１つのセンサは、モーションセンサ、マイクロフォン、光センサ、および、高周波センサを含む、センサのグループから選択される、請求項７に記載のシステム。
【請求項１８】
プロダクトコンテナを動作させる方法であって、
該プロダクトコンテナは、
購入を目的とした物理的に有体の商品を識別するために消費者によって選択可能な少なくとも１つのプロダクトセレクタと、
ネットワークインターフェースであって、該コンテナは、該ネットワークインターフェースを介して、コンテンツサーバと通信するように動作可能である、ネットワークインターフェースと、
該コンテンツサーバから該コンテナに送信されたコンテンツを表示するように動作可能な出力デバイスと、
無線アクセスポイントと、
該プロダクトコンテナの近傍における消費者の存在を検知するように動作可能な少なくとも１つのセンサと
を含み、
該方法は、
該無線アクセスポイントを介して該ネットワークと無線通信する消費者に関連付けられた少なくとも１つのデバイスを提供するステップと、
該デバイスと通信する該無線アクセスポイントを介して取得される該消費者に関連付けられた情報を利用して、カスタマイズされたマーケティングコンテンツを該消費者に提供するステップと、
該消費者の存在に少なくとも部分的に基づいて、さらに、該消費者のアイデンティティに少なくとも部分的に基づいて、カスタマイズされたマーケティングコンテンツを出力するステップと
を含む、方法。
【請求項１９】
前記プロダクトコンテナ付近に位置した人物の存在を検知した際に、該プロダクトコンテナ上に表示された前記広告情報を変更するステップを更に含む、請求項１８に記載の方法。
【請求項２０】
前記プロダクトコンテナ上に、該プロダクトコンテナに対して地理的に見て局所的である出来事に対応した、出来事情報を表示するステップを更に含む、請求項１８に記載の方法。